(57)【要約】【課題】前後不透明ストライプ間の位置ずれを防ぎ見栄え良く透視状態の良い透視パネルを低コストで提供すること。【解決手段】操作手段９の回動レバー１５を支点軸部と調整軸部が偏芯した偏芯軸１８で枢支する構成とし、調整軸部を回動調整することにより、駆動部１７が上下に移動するため、可動透過板８の固定透過板７に対する初期設定位置を調整することができ、見栄えが良く透視状態の良い透視パネルを提供することができる。【選択図】　図２
2004068347.tif 000002
【特許請求の範囲】
【請求項１】
透過度の高いストライプと遮蔽度の高いストライプとを交互に形成した縞柄を有する固定透過板をパネル枠に固定し、前記縞柄に対応する縞柄を有する可動透過板を前記パネル枠内に重ね合わせて組付けると共に、固定透過板と可動透過板との透過度の高いストライプ同士がほぼ重なり透視状態となる第１の位置と、透過度の高いストライプと遮蔽度の高いストライプがほぼ重なり遮蔽状態となる第２の位置との一方から他方に、前記可動透過板を所定方向に所定ストローク移動させる操作手段を備えた透視パネルにおいて、前記操作手段は、前記パネル枠より突出し前記可動透過板の移動方向と直角方向に所定ストローク直進動する操作部と、前記操作部に固定され先端部に傾斜面を有する直進動カムと、前記傾斜面に当接回動する被駆動部と前記可動透過板の端面に当接回動する駆動部と回動中心となる軸穴を備えた回動レバーと、互いに偏芯した位置関係の支点軸部と調整軸部とからなる偏芯軸と、前記偏芯軸の調整軸部を枢支するブラケットを備え、前記偏芯軸の支点軸部は前記回動レバーの軸穴に枢設され、回動レバーの回動中心位置が可動透過板の移動方向に位置調整可能な透視パネル。
【請求項２】
直進動カムの傾斜面の両端部に平坦部を設け、直進動カムの移動の両端位置において、前記平坦部に回動レバーの被駆動部が当接し、両平坦部間の段差寸法が回動レバーの被駆動部における所定の移動寸法に対応する請求項１に記載の透視パネル。
【請求項３】
偏芯軸の調整軸部をブラケットとパネル枠とで挟持固定できる構成の請求項１および２に記載の透視パネル。
【請求項４】
偏芯軸の調整軸部とブラケットの接触部、あるいは前記調整軸部とパネル枠の接触部のどちらか一方あるいは両方の、互いに接触する面の片面あるいは両面に凹凸等の移動防止手段を形成した請求項３に記載の透視パネル。
【請求項５】
固定透過板と可動透過板との間に滑り性を高める高滑性材を介在させた請求項１〜４に記載の透視パネル。
【請求項６】
可動透過板の両端面に当接した、複数のスライドガイドを固定透過板の裏面に直接あるいは前記高滑性材を介して接着あるいは粘着固定し、可動方向の案内ガイドを構成する請求項１〜５に記載の透視パネル。
【請求項７】
固定透過板と可動透過板を重ね合わせ、２枚の透過板のストライプの傾きを中心に柄合わせ調整後、スライドガイドを可動透過板の端面に当接して固定透過板の裏面に接着あるいは粘着固定する請求項６に記載の透視パネルの製造方法。
【発明の詳細な説明】
【０００１】
【発明の属する技術分野】
本発明は、システムキッチンの収納ボックスの扉や間仕切りパネル等に用いられる透視パネルに関するものである。
【０００２】
【従来の技術】
従来、収納ボックスの扉や間仕切りパネル等に用いる透視パネルとして、例えば特開平３−１２２３４０号公報に示すものが提案されている。この透視パネルは、透明ストライプと不透明ストライプとを同一ピッチで交互に形成した縞柄を有する透過板を前後２枚重ね合わせて組付け、一方の透過板を固定透過板とし、他方を可動透過板として、固定透過板と可動透過板との両縞柄が透視状態となるように組み合わされる位置と、前記両縞柄が遮蔽状態となるように組み合わされる位置との一方から他方に、可動透過板をスライドさせる操作機構を備えたものである。
【０００３】
【発明が解決しようとする課題】
しかしながら従来の透視パネルにおいて、前側の固定透過板に対し後側の可動透過板の初期設定や部品に誤差がある場合には、透視状態において、前側の不透明ストライプに対し、後側の不透明ストライプの位置がずれ、その辺部がはみ出し、見栄えが悪くなったり、透視面積を狭めるという欠点があった。
【０００４】
本発明は上記従来例の欠点を是正し、前後不透明ストライプ間の位置ずれを防ぎ見栄え良く透視状態の良い透視パネルを低コストで提供することを目的とする。
【０００５】
【課題を解決するための手段】
パネル枠の外部に突出し前記可動透過板の移動方向と直角方向に所定ストローク直進動する操作部と、前記操作部に固定され先端部に傾斜面を有する直進動カムと、前記傾斜面に当接回動する被駆動部と前記可動透過板の端面に当接回動する駆動部と回動中心となる軸穴を備えた回動レバーと、互いに偏芯した位置関係の支点軸部と調整軸部とからなる偏芯軸と、前記偏芯軸の調整軸部を枢支するブラケットを備え、前記偏芯軸の支点軸部は前記回動レバーの軸穴に枢設され、回動レバーの回動中心位置が可動透過板の移動方向に位置調整可能な構成としたものである。
【０００６】
これによって、偏芯軸の調整軸部を調整することにより、回動レバーの駆動部の位置が調整でき、可動透過板の固定透過板に対する初期設定位置（第１の位置又は第２の位置）を調整することができる。このため透視パネルの最終組付け段階において、前記初期設定位置における前後不透明ストライプ間に位置ずれがある場合に、前記調整作業により容易にその位置ずれを是正して、見栄えが良く透視状態の良い透視パネルとすることができる。
【０００７】
【発明の実施の形態】
請求項１に記載の発明は、透過度の高いストライプと遮蔽度の高いストライプとを交互に形成した縞柄を有する固定透過板をパネル枠に固定し、前記縞柄に対応する縞柄を有する可動透過板と前記パネル枠内に重ね合わせて組付けると共に、固定透過板と可動透過板との透過度の高いストライプ同士がほぼ重なり透視状態となる第１の位置と、透過度の高いストライプと遮蔽度の高いストライプがほぼ重なり遮蔽状態となる第２の位置との一方から他方に、前記可動透過板を所定方向に所定ストローク移動させる操作手段を備えた透視パネルにおいて、前記操作手段は、前記パネル枠より突出し前記可動透過板の移動方向と直角方向に所定ストローク直進動する操作部と、前記操作部に固定され先端部に傾斜面を有する直進動カムと、前記傾斜面に当接回動する被駆動部と前記可動透過板の端面に当接回動する駆動点と回動中心となる軸穴を備えた回動レバーと、互いに偏芯した位置関係の支点軸部と調整軸部とからなる偏芯軸と、前記偏芯軸の調整軸部を枢支するブラケットを備え、前記偏芯軸の支点軸部は前記回動レバーの軸穴に枢設され、回動レバーの回動中心位置が可動透過板の移動方向に位置調整可能な構成とした。
【０００８】
以上の構成により、偏芯軸の調整軸部を調整すれば、回動レバーの駆動点の位置が調整でき、可動透過板の固定透過板に対する初期設定位置（第１の位置又は第２の位置）を調整することができる。このため透視パネルの最終組付け段階において、前記初期設定位置における前後不透明ストライプ間に位置ずれがある場合に、前記調整作業により容易にその位置ずれを是正して、見栄えが良く透視状態の良い透視パネルとすることができる。
【０００９】
請求項２に記載の発明は、直進動カムの傾斜面の両端部に平坦部を設け、直進動カムの移動の両端位置において、前記平坦部に回動レバーの被駆動部が当接し、両平坦部間の段差寸法が回動レバーの被駆動部における所定の移動寸法に対応するようにしたことにより、操作時における直進動カムの移動量の誤差に影響されず、回動レバーの被駆動部における所定の移動量と停止位置を確実に確保でき、可動透視パネルを所定位置に移動停止することができる。
【００１０】
請求項３に記載の発明は、偏芯軸の調整軸部をブラケットとパネル枠とで挟持固定できるようにしたことにより、初期設定位置の位置ずれを調整した状態を維持固定できるため、長期間に渡り透視状態の良い状態で使用することができる。
【００１１】
請求項４に記載の発明は、偏芯軸の調整軸部とブラケットの接触部、あるいは前記調整軸部とパネル枠の接触部のどちらか一方あるいは両方の、互いに接触する面の片面あるいは両面に凹凸等の移動防止手段を形成したことにより、調整状態をより確実に固定でき、使用中の振動や衝撃に対しても、強固に対応することが可能になる。
【００１２】
請求項５に記載の発明は、固定透過板と可動透過板との間に滑り性を高める高滑性材を介在させたことにより、可動透過板の移動がスムーズになり、操作手段の操作が軽快になる。
【００１３】
請求項６に記載の発明は、可動透過板の両端面に当接した、複数のスライドガイドを固定透過板の裏面に直接あるいは前記高滑性材を介して接着あるいは粘着固定し、可動方向の案内ガイドを構成することにより、可動透過板の幅寸法の誤差を吸収し、可動透過板のスムーズな摺動を可能とし、また固定透過板と可動透過板のストライプ柄の柄合わせを簡単かつ確実に行うことができる。
【００１４】
請求項７に記載の発明は、固定透過板と可動透過板を重ね合わせ、２枚の透過板のストライプ柄の傾きを中心に柄合わせ調整後、スライドガイドを可動透過板の端面に当接して固定透過板の裏面に接着あるいは粘着固定する製造法とすることにより、請求項３に記載の透視パネルにおける固定透過板と可動透過板の柄あわせを、たとえ個々の部品にばらつきがある場合でも、特殊な計器や治具を使用しないで現物合わせで、簡単にかつ確実に柄合わせができる製造方法を提供することができる。
【００１５】
【実施例】
以下本発明の実施例について、図面を参照しながら説明する。
【００１６】
図１は本発明の透視パネルをシステムキッチンの収納キャビネットと間仕切りに使用した場合を示す斜視図で、図２は透視パネルの透視状態を示す正面図（一部断面）で、図３は透視パネルの遮蔽状態を示す正面図（一部断面）で、図４は透視パネルの要部断面図で、図５は透視パネルの要部を示す背面図で、図６は操作手段を示す斜視図で、図７は操作手段要部のを示す一部切り欠き表示の斜視図で、図８は偏芯軸を示す斜視図で、図９は直進動カムを示す斜視図である。
【００１７】
図１において、１はシステムキッチンの本体で、その上部壁面には収納キャビネット２が配設され、収納キャビネット２の前面にヒンジを介して開閉自在に取り付けられた扉３は本発明の透視パネル４で主構成ている、また５は間仕切りであり、これも本発明の透視パネル４で主構成されている。
【００１８】
前記透視パネル４は、図２〜４に示すようにパネル枠６と、パネル枠に固定された矩形状の固定透過板７と、パネル枠６内に上下動可能に配置された矩形状の可動透過板８とを備えると共に、前記可動透過板８がパネル枠６に設けた操作手段９により上下動するように構成されている。
【００１９】
扉３外面側（前側）に位置する固定透過板７は、無色の透明ガラス板７ａの裏面（内側面）に、上下方向に一定ピッチの間隔を置いた、多数本の水平方向の不透明ストライプ７ｂと周辺の隠蔽部７ｃが、スクリーン印刷等を用いて印刷されている従って、固定透過板７は、前記多数本の不透明ストライプ７ｂと、その間に現れるガラス生地そのままの多数本の透明ストライプ７ｄとからなる縞柄を有している。
【００２０】
扉内面側（後側）に位置する可動透過板８は、無色の透明ガラス板８ａに多数本の水平方向の不透明ストライプ８ｂが上下方向に間隔を置いて前記ピッチＰと同一ピッチでスクリーン印刷等を用いて印刷されてなるものである。従って、可動透過板８は、前記多数本の不透明ストライプ８ｂと、その間に現れるガラス生地そのままの多数本の透明ストライプ８ｃとからなる縞柄を有している。
【００２１】
可動透過板８の不透明ストライプ８ｂは固定透過板７の不透明ストライプ７ｂと同一あるいは狭い幅に形成されている。
【００２２】
前記パネル枠６は、アルミ等の型材からなる上枠６ａおよび下枠６ｂと、左枠６ｃおよび右枠６ｄとを枠状に組付け固定して構成されており、その枠の内側全辺に溝が形成されている。
【００２３】
図４に示すように、固定透過板７と可動透過板８とは、パネル枠６の溝内に配され、固定透過板７の後面両側部に貼着固定した滑り性の良いテープ状の高滑性材１０を介して印刷面同士が重なり合うように組付けられる。前記固定透過板７の４辺外周は前記パネル枠６の溝の底部に当接固定されている。
【００２４】
固定透過板７の裏面には、可動透過板８の両側面の上下および中間部に当接する複数個のスライドガイド１１が前記高滑性材１０を介して粘着固定されており、可動透過板８は下枠６ｂに設けた操作手段９によりスライドガイド１１に沿って上下動できるように構成されている。
【００２５】
操作手段９は、図４〜６に示すように、下枠６ｂのボックス部６ｅの内部に配設されており、ボックス部６ｅ上面に設けた略長方形の操作穴１２より突出した操作部１３と一体の直進動カム１４と回動レバー１５とブラケット１６と駆動部１７と偏芯軸１８を備えている。
【００２６】
ブラケット１６は、樹脂成形品であって、下枠６ｂボックス部６ｅの後面板に左右一対のビス２１で取付けられている。図７に示すように、ブラケット１６の前面右側上部には直進動カム１４を水平方向に案内するための案内溝１６ａが形成されており、前面左側中央部には、偏芯軸１８を枢支する軸受部１６ｂが形成されている。
【００２７】
軸受部１６ｂは大小２個の同心の穴で構成され大穴１６ｃの底部には放射状の凹凸形状からなる移動防止手段（図示せず）が形成されている。
【００２８】
図８に示すように偏芯軸１８は支点軸部１９と調整軸部２０一体で成型され、中心軸が互いに偏芯した位置関係でに配設されている。
【００２９】
調整軸部２０は大径部２０ａと小径部２０ｂからなり、大径部２０ａのフランジ面２０ｃには、放射状の凹凸形状からなる移動防止手段２０ｄが形成されており、前記ブラケット１６の大穴１６ｃの底部設けた同様の移動防止手段に対応する、また、大径部２０ａの長さは前記ブラケット１６大穴１６ｃの深さより大であり、ブラケット１６を下枠６ｂにビス２１で固定した場合、大径部２０ａが大穴１６ｃの底部と下枠６ｂ間に挟持固定される。
【００３０】
また大径部２０ａの端面２０ｅには、調整時にドライバーのビットを受ける調整溝２０ｆが形成されている。
【００３１】
図９に示すように、直進動カム１４は、プラスチック成形品であって、端部に傾斜面１４ａを有し、前記傾斜面１４ａの両端部には平坦部１４ｂ、１４ｃが設けられており、上面には操作部１３が一体形成され、側面には突部１４ｄを有し、前記ブラケット１６に形成した案内溝１６ａに嵌入し、所定ストロークの直進往復動の案内がされる。
【００３２】
回動レバー１５は、プラスチック成形品であって、一端部に形成され駆動穴（図示せず）には可動透過板８の下端に当接し上下運動を伝達する駆動部１７が嵌合されており、中央部には、前記偏芯軸１８の支持軸部１９と嵌合し回動の中心となる軸穴１５ａを備え、他端部には、前記直進動カム１４の傾斜面１４ａに当接し、直進動カム１４の運動を受動する被駆動部１５ｂが形成されている。
【００３３】
また前記軸穴１５ａの中心から前記被駆動部１５ｂまでの中心間距離は、前記軸穴１５ａの中心から駆動部１７までの中心間距離より大で、具体的には１．５倍の長さとなっており、テコの原理で操作力を低減する構成となっている。
【００３４】
以上のように構成された透視パネルについて、以下その動作作用を説明する。図２に示すように透視パネル４の固定透過板７の不透明ストライプ７ｂと可動透過板８の不透明ストライプ８ｂが重なった状態の透視状態から、操作部１３左方向に移動させると、それに伴い直進動カム１４も同様に左方向に摺動する。それに伴い、当初平坦部１４ｂに当接していた回動レバー１５の被駆動部１５ｂは傾斜面１４ａに沿って移動しもう一方の平坦部１４ｃに到達する。この間回動レバー１５は軸穴１５ａを中心に回動し、駆動部１７は上方に移動する。駆動部１７に当接している可動透視板７も同様に上方に移動し、図３に示すように固定透過板７の透明ストライプ７ｄと可動透過板８の不透明ストライプ８ｂが重なった隠蔽状態になる。　この状態から逆方向の操作をすれば、透視パネル４は隠蔽状態から透視状態に変化する。
【００３５】
以上のように操作部１３を左右に移動させるだけの簡単な操作だけで、透視パネル４の透視状態、隠蔽状態の切替ができるため、収納キャビネット２の内部を見せたり、隠したり、また間仕切り５を見えたり、見えなくすることが簡単な操作でできる。
【００３６】
また、固定透過板７と可変透過板８のストライプの初期位置が上下にずれている場合、ビス２１ゆるめ、偏芯軸１８の調整軸部２０に設けた調整溝１９ｆにドライバを挿入して回すことにより、支点軸部１９が上下に移動し、それに伴い回動レバー１５に嵌合した駆動部１７が上下に移動するため、駆動部１７に当接している可動透過板８の上下移動ができ初期位置の調整ができる。調整後ビス１７を再び締めると調整状態が固定できる。またブラケット１６と偏芯軸１８に設けた移動防止手段は固定をより強固なものにできる。
【００３７】
また、実際の生産において、ストライプの印刷のずれによりストライプが透過板の外形に対して斜めになっている場合が考えられるが、そのような場合でも、固定透過板７の上に可動透過板８を重ね合わせ、２枚の透過板のストライプの傾きを中心に柄合わせ調整後、スライドガイド１１を可動透過板８の端面に当接して固定透過板７の裏面に粘着固定することにより、特殊な計器や治具を使用しないで現物合わせで、簡単にかつ確実に柄合わせができる。
【００３８】
【発明の効果】
本発明によれば、前後２枚の透過パネルの不透明ストライプの相互の位置ずれを調整する機能を備えることにより、透視状態の良い透視パネルを低コストで提供することができる。
【図面の簡単な説明】
【図１】本発明の実施例における透視パネルをシステムキッチンに使用した斜視図
【図２】本発明の実施例における透視パネルの透視状態を示す一部断面の正面図
【図３】本発明の実施例における透視パネルの遮蔽状態を示す一部断面の正面図
【図４】本発明の実施例における透視パネルの要部断面図
【図５】本発明の実施例における透視パネルの要部を示す背面図
【図６】本発明の実施例における操作手段を示す斜視図
【図７】本発明の実施例における操作手段の要部を示す一部切り欠き斜視図
【図８】本発明の実施例における偏芯軸を示す斜視図
【図９】本発明の実施例における直進動カムを示す斜視図
【符号の説明】
４　透視パネル
６　パネル枠
７　固定透過板
８　可動透過板
９　操作手段
１０　高滑性材
１１　スライドガイド
１４　直進動カム
１４ａ　傾斜面
１４ｂ、１４ｃ　平坦部
１５　回動レバー
１５ａ　軸穴
１５ｂ　被駆動部
１６　ブラケット
１７　駆動部
１８　偏芯軸
２０ｄ　移動防止手段
【図１】
2004068347.tif 000003
【図２】
2004068347.tif 000004
【図３】
2004068347.tif 000005
【図４】
2004068347.tif 000006
【図５】
2004068347.tif 000007
【図６】
2004068347.tif 000008
【図７】
2004068347.tif 000009
【図８】
2004068347.tif 000010
【図９】
2004068347.tif 000011